(57)【要約】【課題】五徳爪に形成した嵌合突片とバーナリングに形成した嵌合凹部とによる回り止めによらずとも的確に五徳をバーナリングに対して回り止め状態で位置決めすることができ、トッププレートへの五徳セットが容易で、しかも、五徳爪への嵌合突片の形成が不要であり、製造工程における製造ミスの発生および部品在庫の種類の増加が抑制されるガスコンロを提供する。【解決手段】バーナリング０３の平面視外形が、隣接する直線部３２ｃの間の頂点が欠損した、欠損部Ｋを有する６角形であり、五徳枠４１がバーナリング０３に外嵌したとき、五徳枠４１における屈曲部３２ａとバーナリング０３における欠損部Ｋとの間に空隙を存し、五徳枠４１における直線辺３２ｂとバーナリング４１における直線部３２ｃとが当接して、五徳枠４１がバーナリング０３に対して回り止め状態で位置決めされる。【選択図】図２
2018013249.tif 000002
【特許請求の範囲】
【請求項１】
ガスコンロ本体のトッププレートに形成されたバーナ用開口に挿通されるバーナと、
前記バーナ用開口と前記バーナとの間に形成される隙間を塞ぎ、前記トッププレートに対して回り止め状態で位置決めされるバーナリングとを備え、
前記バーナの周囲に配置され、所定の直径寸法を有する線材からなり平面視６角形に形成され、隣接する直線辺の間の各頂点に屈曲部を有する五徳枠と、該五徳枠の各直線辺に接合された６本の五徳爪と、からなる五徳を具備してなるガスコンロであって、
前記バーナリングの平面視外形が、隣接する直線部の間の頂点が欠損した、欠損部を有する６角形であり、
前記五徳枠が前記バーナリングに外嵌したとき、前記五徳枠における屈曲部と前記バーナリングにおける欠損部との間に空隙を存し、前記五徳枠における直線辺と前記バーナリングにおける直線部とが当接して、前記五徳枠が前記バーナリングに対して回り止め状態で位置決めされることを特徴とするガスコンロ。
【請求項２】
前記五徳の表面に琺瑯層を備えることを特徴とする請求項１記載のガスコンロ。
【発明の詳細な説明】
【技術分野】
【０００１】
本発明は、ガスコンロに関するものである。
【背景技術】
【０００２】
ガスコンロは一般的に、バーナが設置されたガスコンロ本体の上面にトッププレートを被着し、トッププレートに形成されたバーナ用開口にバーナを挿通し、バーナの周囲に五徳を配置している。前記五徳は、平面視略円環状をした五徳枠と、五徳枠の周方向に略等間隔に設けられ被加熱物が載置される複数の五徳爪とを備えている。また、バーナとバーナ用開口の内端縁との間に形成される隙間には、この隙間を塞ぐバーナリングを配置されることが多い。前記バーナリングは、周端縁がトッププレートのバーナ用開口縁の上面に載置される。
【０００３】
ところで、五徳としては、五徳爪を６本備えるものが多い（例えば特許文献１参照）。一部の五徳爪に嵌合突片を形成すると共に、バーナリングの前記嵌合突片に対応する位置に嵌合突片が嵌合する嵌合凹部を形成し、この嵌合凹部に前記嵌合突片を嵌入して五徳をバーナリングに対して回り止め状態で位置決めしている。
【０００４】
しかし、６本備える五徳爪の全てに前記嵌合突片を形成し、この全ての前記嵌合突片つまり６個の前記嵌合突片を嵌合凹部に嵌入するように構成すると、トッププレートへの五徳セット時における、五徳嵌合凹部への前記嵌合突片の嵌入が面倒であるため、６本の内２本の五徳爪のみに前記嵌合突片を形成し、２個の前記嵌合突片を２ヶ所の嵌合凹部に嵌入するように構成してあり、前記嵌合突片が形成される五徳爪と前記嵌合突片が形成されない五徳爪との２種類の五徳爪が存在することになり、製造工程における製造ミス防止のための五徳爪の管理が必要であると共に部品在庫の種類の増加を招くことになり改善が望まれるものであった。
【先行技術文献】
【特許文献】
【０００５】
【特許文献１】特開２０１１−１７９７２３号公報
【発明の概要】
【発明が解決しようとする課題】
【０００６】
本発明は上記従来の問題点に鑑みて発明したものであって、その目的とするところは、五徳爪に形成した嵌合突片とバーナリングに形成した嵌合凹部とによる回り止めによらずとも的確に五徳をバーナリングに対して回り止め状態で位置決めすることができ、トッププレートへの五徳セットが容易で、しかも、五徳爪への嵌合突片の形成が不要であり、製造工程における製造ミスの発生および部品在庫の種類の増加が抑制されるガスコンロを提供することを課題とするものである。
【課題を解決するための手段】
【０００７】
上記課題を解決するために、本願発明によるガスコンロは、ガスコンロ本体のトッププレートに形成されたバーナ用開口に挿通されるバーナと、前記バーナ用開口と前記バーナとの間に形成される隙間を塞ぎ、前記トッププレートに対して回り止め状態で位置決めされるバーナリングとを備え、前記バーナの周囲に配置され、所定の直径寸法を有する線材からなり平面視６角形に形成され、隣接する直線辺の間の各頂点に屈曲部を有する五徳枠と、該五徳枠の各直線辺に接合された６本の五徳爪と、からなる五徳を具備してなるガスコンロであって、前記バーナリングの平面視外形が、隣接する直線部の間の頂点が欠損した、欠損部Ｋを有する６角形であり、前記五徳枠が前記バーナリングに外嵌したとき、前記五徳枠における屈曲部と前記バーナリングにおける欠損部Ｋとの間に空隙を存し、前記五徳枠における直線辺と前記バーナリングにおける直線部とが当接して、前記五徳枠が前記バーナリングに対して回り止め状態で位置決めされることを特徴とするものである。
【０００８】
本願発明によるガスコンロは、上記のように構成されるので、従来のガスコンロのように五徳爪に形成した嵌合突片とバーナリングに形成した嵌合凹部とによる回り止めによらずとも、的確に五徳をバーナリングに対して回り止め状態で位置決めすることができ、トッププレートへの五徳セットが容易で、しかも、五徳爪への嵌合突片の形成が不要であり、製造工程における製造ミスの発生および部品在庫の種類の増加が抑制されるガスコンロとすることができる。
【０００９】
また、前記五徳の表面に琺瑯層を備えることが好ましい。
【００１０】
このように、五徳の表面に琺瑯層を備えることで、五徳の耐久性に優れたガスコンロとすることができ、しかも、五徳の表面に琺瑯層を形成したとき、五徳枠の屈曲部の内周側に釉薬が溜まることに起因して屈曲部の内周側の端縁が五徳枠の中心側に偏ったときであっても、欠損部が存在することで、五徳枠の中心側に偏った屈曲部の内周側の端縁が邪魔にならず、五徳枠における直線辺とバーナリングにおける直線部とが当接することができるので、五徳枠をバーナリングに対して適切に回り止め状態で位置決めすることが可能なる。
【発明の効果】
【００１１】
本発明によって、従来のガスコンロのように五徳爪に形成した嵌合突片とバーナリングに形成した嵌合凹部とによる回り止めによらずとも、的確に五徳をバーナリングに対して回り止め状態で位置決めすることができ、トッププレートへの五徳セットが容易で、しかも、五徳爪への嵌合突片の形成が不要であり、製造工程における製造ミスの発生および部品在庫の種類の増加が抑制されるガスコンロとすることができる。また、五徳の耐久性に優れたガスコンロとすることができる。
【図面の簡単な説明】
【００１２】
【図１】本発明の一実施形態のガスコンロの斜視図である。
【図２】同上のガスコンロの平面図である。
【図３】同上のガスコンロが備える五徳の斜視図である。
【図４】同上の五徳の平面図である。
【図５】同上の五徳の側面図である。
【発明を実施するための形態】
【００１３】
以下、本発明を添付図面に示す実施形態に基づいて説明する。
【００１４】
ガスコンロはＧＣ、コンロ用のバーナ０２や操作部（図示せず）や制御部（図示せず）等を取り付ける基台となるガスコンロ本体（図示せず）と、ガスコンロ本体の上端部に被着されて天面部を構成するトッププレート０１と、トッププレート０１上に形成される左コンロ部１１と、を備えている。本実施形態では、図１に示すように、トッププレート０１の上面に、バーナ０２を備えた左コンロ部１１が向かって左側の手前に設けてあり、右コンロ部が向かって右側の手前に設けてある。
【００１５】
バーナ０２は、図１、図２に示すように、トッププレート０１に穿設されたバーナ用開口１０を介してトッププレート０１の上方に露出する。本実施形態では図１、図２に示すように、バーナ用開口１０を標準バーナ０２、高火力バーナがそれぞれ下方より挿通して上方に突出している。そして、トッププレート０１の上面には、バーナ０２を中央に配置した五徳０４を設けるもので、バーナ０２と五徳０４とで、五徳０４上に載置される鍋等の被加熱物（図示せず）を加熱する左コンロ部１１が構成される。
【００１６】
五徳０４は、図１から図５に示すように、環状をした五徳枠４１と、複数個の五徳爪４２とを一体に組み立てて形成されるものである。本実施形態では、五徳枠４１は、断面略円形状（本実施形態では、直径５ｍｍの円形断面を有する。）の金属製の丸棒材を平面視６角形に曲成して形成してあり、隣接する直線辺３２ｂの間の各頂点に屈曲部３２ａを有する。
【００１７】
そして、６本の五徳爪４２が、五徳枠４１の各直線辺３２ｂに夫々接合されている。
【００１８】
図１、図２に示すように、トッププレート０１のバーナ用開口１０の内端縁とバーナ０２との隙間には、平面視外形が、隣接する直線部３２ｃの間の頂点が欠損した、欠損部Ｋを有する６角形をしたバーナリング０３が介装される。バーナリング０３は、トッププレート０１に対して回り止めされてトッププレート０１に対して位置決めされて固定されている。つまり、バーナ用開口１０とバーナ０２との間に形成される隙間を塞ぎ、トッププレート０１に対して回り止め状態で位置決めされるバーナリング０３とを備える。
なお、バーナリング０３が、トッププレート０１に対して回り止めされてトッププレート０１に対して位置決めされる構成については、周知の種々の構成が採用可能であり詳細な説明は省略する。
【００１９】
図２に示すように、バーナリング０３の平面視外形は、隣接する直線部３２ｃの間の頂点が欠損した、欠損部Ｋを有する６角形に形成されている。
【００２０】
そして、五徳枠４１をバーナリング０３に外嵌するとき、五徳枠４１における屈曲部３２ａとバーナリング０３における欠損部Ｋとの間に空隙を存するように構成されており、五徳枠４１における直線辺３２ｂとバーナリング０３における直線部３２ｃとが当接して、五徳枠４１が前記バーナリング０３に対して回り止め状態で位置決めされる。
【００２１】
説明を加えると、五徳枠４１を６角形に形成する際、屈曲部３２ａの寸法が、製造バラツキにより不安定になることが考えられ、屈曲部３２ａの屈曲寸法バラツキが大きくなることが想定されるが、屈曲部３２ａの屈曲寸法バラツキが大きくなった場合にも、五徳枠４１をバーナリング０３に外嵌したときに、屈曲部３２ａの内周側には、バーナリング０３における欠損部Ｋが位置することになり、五徳枠４１における直線辺３２ｂとバーナリング０３における直線部３２ｃとが当接することができるので、五徳枠４１がバーナリング０３に対して適切に回り止め状態で位置決めされることが可能となっている。
【００２２】
また、本実施形態では、五徳０４の表面に琺瑯層（図示せず）が形成されており、本実施形態では、０．３ｍｍの膜厚の琺瑯層が形成されている。
【００２３】
０．３ｍｍの膜厚の琺瑯層によって、五徳０４の耐久性に優れたガスコンロＧＣとすることができ、しかも、五徳０４の表面に琺瑯層を形成したとき、五徳枠４１の屈曲部３２ａの内周側に釉薬が溜まることに起因して屈曲部３２ａの内周側の端縁が五徳枠４１の中心側に偏ったときであっても、欠損部Ｋが存在することで、五徳枠４１の中心側に偏った屈曲部３２ａの内周側の端縁が邪魔にならず、五徳枠４１における直線辺３２ｂとバーナリング０３における直線部３２ｃとが当接することができるので、五徳枠４１をバーナリング０３に対して適切に回り止め状態で位置決めすることが可能となる。
【００２４】
説明を加えると、五徳枠４１の直線辺３２ｂにおいては、琺瑯の膜厚が０．１ｍｍから０．５ｍｍ程度に管理されるが、屈曲部３２ａの内周側では、釉薬の表面張力によって釉薬が溜まる傾向にあり、琺瑯の膜厚が０．１ｍｍから０．７ｍｍ程度になることがある。本実施形態では、琺瑯の膜厚が厚くなっても、欠損部Ｋが存在することで、五徳枠４１の中心側に偏った屈曲部３２ａの内周側の琺瑯が邪魔にならず、五徳枠４１における直線辺３２ｂとバーナリング０３における直線部３２ｃとが適切に当接することができるので、五徳枠４１をバーナリング０３に対して適切に回り止め状態で位置決めすることが可能となる。
【００２５】
なお、五徳０４の表面に琺瑯層が形成されている点は、任意の構成であり、五徳０４の表面に琺瑯層が形成されなくてもよい。
【００２６】
なお、発明は、上記実施形態に限定されるものではなく、本発明の範囲内において種々の変形を加えることが可能である。
【符号の説明】
【００２７】
０１    トッププレート
１０  バーナ用開口
１１  左コンロ部
０２    バーナ
０３    バーナリング
３２ａ  屈曲部
３２ｂ  直線辺
３２ｃ  直線部
０４    五徳
４１  五徳枠
４２  五徳爪
ＧＣ  ガスコンロ
Ｋ    欠損部
【図１】
2018013249.tif 000003
【図２】
2018013249.tif 000004
【図３】
2018013249.tif 000005
【図４】
2018013249.tif 000006
【図５】
2018013249.tif 000007